(57)【特許請求の範囲】
【請求項１】
長手方向に画成され且つ上部の細い溝で開口する中空部を備えると共に、マンホールの周囲に設けられるガイドレールと、
該ガイドレールの上に外周縁が載置される、前記マンホールを覆う蓋と、
上側フランジ、下側フランジ、及び両フランジを接続するウェブを有する断面コ形のスライドバーであって、該下側フランジ及びウェブを前記ガイドレールの前記中空部及び溝に挿入することにより、該上側フランジが前記ガイドレールの上に載置された前記蓋の前記外周縁の上に載り、前記蓋を前記ガイドレールに固定すると共に、後から前記ガイドレールに組み込まれるスライドバーが前に組み込まれたスライドバーの抜け止め部材として機能する該スライドバーと、
最後に組み込まれた前記スライドバーの単一の抜け止め用ストッパと、を備えてなるマンホール蓋取付け構造。
【発明の詳細な説明】
【０００１】
【発明の属する技術分野】
本発明は、マンホール蓋取付け構造に関し、特に加圧水型原子炉の蒸気発生器の内部にあるマンホールを閉じるために使用されて有用なマンホール蓋取付け構造に関する。
【０００２】
【従来の技術】
加圧水型原子炉の蒸気発生器内には、その上部において作業員用のマンホールが設けられている。これを簡単に説明すると、蒸気発生器の上部を示す図８において、熱交換管の管束１の上方には気水分離器２と湿分分離器３が設けられ、これらは上部胴４で囲まれている。上部胴４の下部には給水入口ノズル５と給水リングヘッダー６が設けられ、一方上部には主蒸気出口７が形成され、これは図示しない配管を介して蒸気タービン（図示しない）に連絡している。そして、図９に示すように気水分離器２の出口開口２ａを画成する水平なデッキプレート９には、マンホール蓋１１により通常は閉じられているマンホールが形成されている。このマンホールは例えば、保守点検時に上部胴４の別のマンホール８（図８参照。）から入った作業員の気水分離器２などへのアクセスを可能とする。マンホール蓋１１は図１０に示すように台形形状の板状部材であって、その外周縁に沿って締結ボルト穴が所定のピッチで穿設されている。そして、そのマンホール蓋１１は、図１１に示すようにボルト１２によりデッキプレート９に確りと締結され、最終的に回り止め溶接１３により固定される。このようにボルト１２を回り止め溶接１３により固定するのは、仮に運転中ボルト１２が緩んで離脱すると、所謂ルースパーツになって冷却材循環系などに不具合を生ずることがあるから、これを主として防止するためである。
【０００３】
【発明が解決しようとする課題】
前述のようにマンホール蓋１１を固定するためのボルト１２が回り止め溶接１３により固定されていると、ルースパーツの発生などを防止して原子炉運転の信頼性向上に寄与するのであるが、反面マンホールを使用する保守点検時には、数多いボルト１２の回り止め溶接１３を一つづつ除去する必要があり、大きな作業時間を要するという問題がある。更には、回り止め溶接１３のはつり作業において、溶接部の削り屑が異物として残留してスラッジとなったり、ボルトの焼き付き等を生ずるという問題があった。
従って、本発明の課題は、溶接やそのはつりによる除去などを要せずに着脱操作が容易且つ短時間に行い得、更にはルースパーとなり易い微小部品の離脱が生じないマンホール蓋取付け構造を提供することを課題とする。
【０００４】
【課題を解決するための手段】
如上の課題を解決するため、本発明によれば、特に加圧水型原子炉用蒸気発生器の内部に設けられて有用なマンホール蓋取付け構造は、矩形外形のマンホールの周囲に設けられ締付案内面を備えたガイドレールと、このガイドレール内に挿入され前記締付案内面に摺接してマンホール蓋を固定するスライドバーと、このスライドバーの抜け止め用単一ストッパとを備えて構成される。前述のスライドバーが複数ある場合、後から組み入れられるスライドバーが前に組み込まれたスライドバーの抜け止め部材として機能し、最後に組み込まれたスライドバーが単一のストッパによって抜け止めされるのが好適である。
【０００５】
【発明の実施の形態】
以下添付の図面を参照して本発明の実施形態を説明する。なお、従来技術に関する前述の図面を含め、全図に亙り同一の部分には同一の符号を付して説明を行うこととする。
先ず図２を参照して、本発明のマンホール蓋取付け構造が採用される蒸気発生器２０の上部構造を説明する。上部胴４は円筒形であり、例えば旋回ベーンを内蔵する気水分離器２の上方に位置する水平なデッキプレート２１には出口開口２ａが画成されている。この出口開口２ａは、給水から分離され、湿分を幾分含む蒸気を上方に通すためのものである。そして１個の気水分離器２の出口開口２ａに通じた空間を画成するように、リブサポート２３が半径方向に延びている。そして、その空間毎に本発明によるマンホール蓋取付け構造３０が採用されたマンホールが合計３個設けられている。
【０００６】
次に図１を参照してマンホール蓋取付け構造３０の全体構造を説明する。デッキプレート２１の上に載せられるベースプレート３１には、後述するように矩形開口のマンホールが形成され、この外周に沿ってガイドレール３３，３５，３７，３９が固定されている。そのマンホールを覆うマンホール蓋４１は、概して前記矩形開口と相似形の外周縁を備え、ガイドレール３３，３５，３７，３９にオーバーラップして置かれるが、上面には取り扱い用取手４３が設けられている。そして、後述するように挿脱されるスライドバー４５，４７，４９，５１がガイドレール３３，３５，３７，３９に取り付けられ、更にガイドレール３５に近接してストッパ５３がベースプレート３１の取り付けられている。
【０００７】
更にマンホール及びマンホール蓋取付け構造３０の詳細構造を図３及び図４を参照して説明する。図３はマンホール蓋４１を取り外した開放状態のマンホール５５を示している。図３から明確なように、マンホール５５はベースプレート３１に形成された台形形状の穴であり、その各辺に沿って延びてガイドレール３３，３５，３７，３９がベースプレート３１の上面に溶接等により固定されている。図４は、前述のガイドレール３３，３５，３７，３９の上に外周縁の一部が重なる（オーバーラップする）ようにしてマンホール蓋４１が置かれた状態を示している。図示の状態では、マンホール５５はマンホール蓋４１によって完全に覆われているが、固定用のスライドバーは取り付けられていない。
【０００８】
再び図１を参照して、スライドバー４５，４７，４９，５１の組み込み手順を説明する。マンホール蓋４１は、図４に示すように正規の組立位置に置かれていて、先ずスライドバー４５を図１の２点鎖線位置に把持し、それからガイドレール３３の溝内に挿入して実線の位置にセットとする。同様に、スライドバー４７を２点鎖線位置からガイドレール３５内に挿入し、実線の位置にセットとする。次いで、スライドバー４９をガイドレール３７に挿入し、最後にスライドバー５１をガイドレール３９に挿入して実線の位置にセットする。このようにして、スライドバー４５，４７，４９，５１の組み込みが終了したら、ストッパー５３を図示の位置にセットしてスライドバー５１の抜け止めとする。尚、スライドバー４９はスライドバー４５の抜け止めとして、スライドバー５１はスライドバー４７，４９の抜け止めとしてそれぞれ機能している。
【０００９】
次にスライドバー４５，４７，４９，５１の蓋締付機能を図５を参照して説明する。図１から容易に理解されるように、ガイドレール３３，３５，３７，３９及びこれに組み込まれるスライドバー４５，４７，４９，５１の各組の長さなどはそれぞれ異なるが、基本的な構造は同様であるので、これを前提にして説明する。図５においてガイドレール３７についてより明確なように、上部の細い溝で開口した矩形断面の中空部を有し、この溝に基本的にはコ形断面のスライドバー４９が挿入される。即ち、スライドバー４９のウェブの部分が前記溝部内を延びていて、上側フランジ部がマンホール蓋４１の外周縁の上に載るようになっている。図５においては、特にガイドレール３９について明らかなように、中空部の天井面がテーパー面３９ａとして形成され、スライドバー５１の挿入方向に傾斜している。そして、スライドバー５１にも、その下側フランジの上面がテーパー面５１ａとして形成され、ガイドレール３９のテーパー面３９ａに摺接するようになっている。従って、前述のようにガイドレール３９にスライドバー５１を挿入して行けば、スライドバー５１は所定量下向きにドリフトされてその上側フランジがマンホール蓋４１をガイドレール３９の上面に押し付けて固定する。スライドバー４５，４７，４９，５１の各の上面に突設されたタグ４５ｂ，４７ｂ，４９ｂ，５１ｂは、スライドバー４５，４７，４９，５１を抜くときのハンマーの打撃部である。
【００１０】
図６及び図７にストッパ５３及びその取付け構造が示されている。ベースプレート３１に固定されたストッパ台座５７は、Ｕ字形断面を有し、その中にストッパ５３を受け入れている。ストッパ台座５７に弛緩自在に螺合される固定ボルト５９がストッパ５３のスロット５３ａを貫通し、これを固定する。
【００１１】
【発明の効果】
以上説明したように、本発明によればガイドレールとスライドバーとの組み合わせによりマンホール蓋を固定するので、従来のように回り止め溶接付ボルトを使用しないから、取付け及び取外しが容易に且つ短時間でできる。更に、最後に組み込むスライドバーのみに単一のストッパを使用すればよいから、ストッパの組立及び分解取外しも最小化されて、長い作業時間を要しない。
【図面の簡単な説明】
【図１】本発明の実施形態の全体構造を示す平面図である。
【図２】前記実施形態が適用される蒸気発生器の内部構造を示す平断面図である。
【図３】前記実施形態の詳細構造を示すために一部の構成部材が取り外された平面図である。
【図４】前記実施形態の詳細構造を示すために一部の構成部材が取り外された平面図である。
【図５】前記実施形態の要部を示す部分断面図である。
【図６】前記実施形態の部分側面図である。
【図７】図６のVII−VII線に沿う断面図である。
【図８】本発明が適用される一例の蒸気発生器の構造を示す部分立断面図である。
【図９】図８のIX−IX線に沿う平断面図である。
【図１０】従来の構造の一部を示す平面図である。
【図１１】従来の構造の一部を示す部分断面図である。
【符号の説明】
２    気水分離器
２ａ  出口開口
４    上部胴
２０  蒸気発生器
２１  デッキプレート
２３  リブサポート
３０  マンホール蓋取付け構造
３１  ベースプレート
３３，３５，３７，３９  ガイドレール
３９ａ  テーパー面
４１  マンホール蓋
４３  取手
４５，４７，４９，５１  スライドバー
５１ａ  テーパー面
４５ｂ，４７ｂ，４９ｂ，５１ｂ  タグ
５３  ストッパ
５５  マンホール
５７  ストッパ台座
５９  固定ボルト
【図１】
0003758846.tif 000002
【図２】
0003758846.tif 000003
【図３】
0003758846.tif 000004
【図４】
0003758846.tif 000005
【図５】
0003758846.tif 000006
【図６】
0003758846.tif 000007
【図７】
0003758846.tif 000008
【図８】
0003758846.tif 000009
【図９】
0003758846.tif 000010
【図１０】
0003758846.tif 000011
【図１１】
0003758846.tif 000012